(57)【要約】【課題】パネル本体群を構成する、縦横フレームで取り囲まず連結可能とするパーテーである。【解決手段】既存の室内の既存の床と天井間に圧接状態で固定可能でありパネル連結支持材を備えた第１支柱との間の少なくとも一つの間に圧接状態で固定可能でありパネル連結支持材を備えた第２支柱間で下部横枠と上部横枠を掛け渡し固定することで複数のパネル群を縦横フレームで取り囲まず連結可能とする連結支持材を備えたパネルで構成するパーテーションである。【選択図】図１
2020070703.tif 000002
【特許請求の範囲】
【請求項１】
パーテーション全体を支える連結支持材と圧接固定支持材を備えた第１支柱と第２支柱間に連結支持材と固定連結補強材を備えた下部横枠と連結支持材を備えた上部横枠を掛け渡し取り付けボルトで固定することでパネル全体が支えられ、パネル本体は縦横のフレームで囲まず、縦横並びのパネルを連結組み立てる事で縦横のフレームを形成するパーテーションである。
【請求項２】
パネル本体に備えた連結支持材で連結、組み立て可能なパーテーションであって、前期、パネル本体を構成する縦パイプ状凸部支持材と、前期、パネル本体を構成する縦凹部支持材と、前期、パネル本体を構成する横凸部支持材と、前期、パネル本体を構成する横凹部支持材で形成するパネル本体である。
【請求項３】
前期パネル本体が、木材とポリマーとエラストマーおよび非鉄金属からなるグループから選択した材料のうちの少なくとも３つからできている。請求項２に記載のパネル。
【請求項４】
前期、支柱を構成する連結支持材と圧接固定支持材と、前期、下部横枠を構成する固定連結補強材と連結支持材と、前期、上部横枠を構成する連結支持材でパネル全体を支え固定できるパーテーションである。請求項１に記載のパーテーション。
【請求項５】
前期支柱、枠、支持材が、木材とポリマーとエラストマーおよび非鉄金属からなるグループから選択した材料のうちの少なくとも３つからできている。請求項４に記載の支柱、枠、支持材。
【請求項６】
前期、パネル本体の形状は、六角形、三角形、台形などパターン化できる、すべての形状からできている形状でもよい。請求項１に記載のパネル本体。
【発明の詳細な説明】
【技術分野】
【０００１】本発明は、オフィス、住宅、店舗などの室内のパーテーションを第１支柱と第２支柱間で構成する複数のパネル群を一つのユニットとし、そのユニットの縦横並びされるパネルを縦フレーム横フレームで取り囲まず連結可能なパーテーションである。
【背景技術】
【０００２】支柱が丈夫な構造となり、またパネルの連結が簡単であり安定した自由なパーテーションの構築が容易となるパーテーションのパネル連結装置を提供する。
【先行技術文献】
【特許文献】
【０００３】
【特許文献１】特開  ２０００−３５５９９７
【特許文献２】特許  第４２９１８６９
【発明の概要】
【発明が解決しよとする課題】
【０００４】しかし、これら従来の特許文献１の提案されているパーテーションを構成するパネルは、丈夫なフレームで、パネルを取り囲み連結が容易でパーテーションの自由な設定や組み立てを容易にでき、また特許文献２の一つのユニット内を複数のパネルを縦横フレームで取り囲み連結したパーテーションでは、取り囲むフレームが目立ち過ぎる為、意匠性に欠けたり自由なデザインを進めるには支障がある。
【課題を解決しようとする課題】
【０００５】前期課題を解決するため、本発明は次のように構成されたパーテーションを提供する。
【０００６】本発明の第１の態様は、オフィス、住宅、店舗などの室内で組み立て配置されるパーテーションであって、既存の室内の既存の床と天井間に圧接状態で固定可能でありパネル連結支持材を備えた第１支柱との間の少なくとも一つの間に圧接状態で固定可能でありパネル連結支持材を備えた第２支柱間で下部横枠と上部横枠を掛け渡し固定することで複数のパネル群を縦横フレームで取り囲まず連結可能とする連結支持材を備えたパネルで構成するパーテーションである。
【０００７】上記パーテーションは、パネル本体にフレームとなる支持材と連結可能な連結支持材を備えたパネルで形成する。
【０００８】上記パーテーションのパネル本体の材料は、ポリマー樹脂を用いることで、機械的強度に優れ耐熱性が比較的高く最も比重密度が低く、軽いといった特長があり意匠性とデザインの自由度を向上させることができる。
【０００９】上記パーテーションのパネル本体の成形方法はポリマー樹脂の流動性がよく成形性に適した射出成型での一体成形することで、上記パネルの生産効率を向上すると共にコストを低減することができる。
【００１０】上記パーテーションのパネル本体の表面に樹脂シートやレザーシート等を貼り付けることで仕上げ処理を効率良く行い、色や模様やテクスチャー等で表面を変化させることでパーテーションのデザインを自由に変化させることで意匠性やデザイン性とその自由度を向上させることができる。
【００１１】上記パーテーションの支柱先端に圧接固定支持材を備え伸縮自在であって脱着可能である。
【図面の簡単な説明】
【００１２】
【図１】パネル本体の連結支持材の構造を示す展開図である。
【図２】パーテションを構成する支柱と横枠の連結支持材と連結箇所を示す概略図である。
【図３】パーテーションを構成するパネル本体の組み立て形態を示す斜視図である。
【図４】パーテーションを構成するパネル本体とパネル本体の連結による縦フレーム横フレ−ムの実施形態とパネルの組み立て順位を示す概略図である。
【発明を実施するための形態】
【００１３】図１は、本発明の実施形態に係るパーテーションを構成するパネル本体と連結支持材の展開図である。このパネル本体１０には連結支持材となる、横凸部２０と横凹部３０を上下端部に備え縦パイプ状凸上部１と縦凹下部２を左側面端部に備え、縦パイプ状凸下部４と縦凹上部５を右側面端部に備えることでパネル本体を構成している。
【００１４】その、上記パネル本体の連結時にパネル本体と同寸法の連結補強材１００を、上段に位置するパネ  ル本体の縦パイプ状凸下部４から右側下段に位置するパネル本体の縦パイプ状凸上部１へ差し込むことで連結固定されパーテーションの縦フレームを形成している。
【００１５】図２は、上記パーテーションを構成する基盤となる、下部横枠４０は連結支持材下部横凸部４２と下部横凹部４３と固定連結補強材４１を備えた横枠であって、その左側端部に第１支柱５０は連結支持材、縦凸部５１と縦凹部５２を備えた支柱５０を取付ボルト８０で固定し、またその右側端部に第２支柱６０は連結支持材、縦凸部６１と縦凹部６２を備えた支柱６０を取付ボルト８０で固定することで、この支柱先端部には圧接固定支持材９０を備え既存の床と天井間を圧接状態で固定可能であって伸縮自在で脱着可能である。
【００１６】上記パーテーションの上部横枠７０は、連結支持材上部横凸部７２と上部横凹部７３を備えた横枠であって第１支柱５０先端部と第２支柱６０先端部間を掛け渡し取付ボルト８０で支柱に固定することでパーテーション全体のパネル本体先端上部が固定され安定したパーテーション全体を形成する。
【００１７】図３は、上記パーテーションを構成するパネル１０の組み立て実施形態である。まず下部横枠４０の下部横凸部４２・下部横凹４３へ下段▲１▼パネル本体１０の横凹部３０・横凸部２０を連結し縦パイプ状凸下部４を下部横枠４０の固定連結補強材４１へ差し込むことで連結固定され第１支柱５０の縦凸部５１と縦凹部５２へ下段パネル本体１０の縦パイプ状凸上部１・縦凹下部２を連結させ下部横枠４０と第１支柱５０を固定ボルト８０で固定する
【００１８】次に、下部横枠４０に沿って固定される、下段の▲１▼パネル本体１０の縦パイプ状凸下部４・縦凹上部５と▲２▼パネル本体１０の縦凹下部２・縦パイプ状凸上部１を連結させ、横凸部２０を下部横凹部４３・横凹部３０を下部横凸部４２・縦パイプ状凸下部４を固定連結補強材４１と連結固定する。
【００１９】次に、下段パネル本体１０と上段パネル本体１０の連結によってパーテーションの強度を保つ縦フレームと横フレームが形成される。
【００２０】上記、下段の▲２▼パネル本体１０と連結し固定連結補強材４１により固定された、▲３▼パネル本体１０と▲２▼パネル本体１０の横凸部２０・横凹部３０を上段の▲６▼パネル本体１０の横凹部３０・横凸部２０に連結すると縦パイプ状凸下部４と、▲２▼パネル本体１０の縦パイプ状凸下部４・縦凹上部５と▲３▼パネル本体１０の縦凹下部２・縦パイプ状凸上部１との連結後連結補強材１００を差し込むことでパネル同士が連結固定され縦横フレームが形成される。
【００２１】図４は、パネル１０の番号▲１▼〜▲１２▼はパネルを組み立てる順番であって、斜線部は強度を保つ縦横フレーム部を示し、縦パイプ状凸上部１と縦凹上部５の連結部と、縦パイプ状凸下部４と縦凹下部２の連結部へ、連結補強材１００を差込縦フレームの形成部を示している。
【符号の説明】
【００２２】  １０  パネル本体    １  縦パイプ状凸上部    ２  縦凹下部    ４  縦パイプ状凸下部    ５  縦凹上部  ２０  横凸部  ３０  横凹部  ４０  下部横枠  ４１  固定連結補強材  ４２  下部横凸部  ４３  下部横凹部  ５０  第１支柱  ５１  縦凸部  ５２  縦凹部  ６０  第２支柱  ７０  上部横枠  ７２  上部横凸部  ７３  上部横凹部  ８０  固定ボルト  ９０  圧接固定支持材１００  連結補強材▲１▼〜▲１２▼  パネル組み立て順位
【図１】
2020070703.tif 000003
【図２】
2020070703.tif 000004
【図３】
2020070703.tif 000005
【図４】
2020070703.tif 000006